(57)【要約】      （修正有）【課題】レール部材を折り畳んでコンパクトに保管・運搬することができ、かつ、遊技盤の製造時に折り畳んだレール部材を容易に元通りに復元できる遊技機を提供する。【解決手段】本発明の遊技機１０は、遊技盤１５の遊技領域Ｐを区画するレールユニット２２を備えている。レールユニット２２の構成部材（外レールユニット２２Ａ，中間レールユニット２２Ｂ，内レールユニット２２Ｃ）のうち、中間レールユニット２２Ｂと内レールユニット２２Ｃは、これらの端部（連結ネジ２６）で回動可能に軸支される。中間レールユニット２２Ｂと内レールユニット２２Ｃには互いにスライドしながら重なり合う重合部１１０ａ，１１１ａを形成し、これらの重合部１１０ａ，１１１ａに、レールユニット２２が折り畳み状態になったときに嵌合し合うロック爪１１２およびロック穴Ｍ１，Ｍ２，Ｍ３を設けるとよい。【選択図】図３
2005305143.tif 000002
【特許請求の範囲】
【請求項１】
遊技盤の遊技領域を区画形成するレール部材を備えた遊技機において、
前記レール部材を複数の構成部材に分割して形成するとともに、これらの構成部材のうち、少なくとも２以上の構成部材同士が回動可能に軸支されることを特徴とする遊技機。
【発明の詳細な説明】
【技術分野】
【０００１】
本発明は、遊技機に関するもので、詳しくは、レール部材の折り畳み構造に関するものである。
【背景技術】
【０００２】
近年、パチンコ機の遊技盤の盤面でほぼ円形の遊技領域を仕切り、また、遊技領域に向けて発射される発射球の発射誘導通路を構成するレール部材が、従来の金属製のレールから樹脂製のレールに切り替わりつつある。係る樹脂レールは、レールの製作が容易であって、かつ、盤面への組み付けが容易な構造を形成できるなど、従来の金属レールに比較して製造上の大きな利便性を有するからである。
【０００３】
また、その利便性をさらに向上させて、上記樹脂レールにアウト口部を付加ささせたもの、樹脂レールの外側にコーナ飾りを付加させたもの、樹脂レールの中に電飾部を付加させたもの等、各種の盤面装着部品を複合させた樹脂レールが使用されつつある（特許文献１，２）。さらに、それらの樹脂レールにおいて発射球を誘導する部分を樹脂レールに係止させた金属レールで覆い、樹脂レールの盤面への組付けを容易としつつ発射球による損傷や摩耗を抑止する構造の遊技機も知られる。
このような複合化された樹脂レールは、盤面に配置される他の盤面装着部品を樹脂レールに一体化させ、製作および盤面への組付けを一度に行うものであるため、遊技盤製作の合理化がさらに進められる。
【０００４】
このような樹脂レールは、上記したように、その主体となるレール部がほぼ円形の遊技領域を仕切る必要上、その外郭が必然的に弧状をなし、しかもその弧が直径が３０ｃｍ以上のほぼ円の一部をなすものであるため、嵩張りやすく、その運搬・保管の取り扱いが容易ではない。
そのため、係る樹脂レールの運搬・保管を容易とするため、樹脂レールを複数の構成部材に分けて製作し、それらを別々に運搬・保管し、遊技板（ベース板）上にそれぞれ分割された部分を組み付けることにより、本来の形状に復元させる構成が考えられる。例えば、特許文献３の遊技機では、コーナ飾り付きの樹脂レールを盤面配置における左部（発射球案内ユニット４３）、右上部（遊技領域区画部材４４）、右下部（遊技領域区画部材４５）の３つに分けることにより、運搬・保管を容易にしている。
【０００５】
【特許文献１】特開平１０−１１８２５９号公報
【特許文献２】特開２００３−２３６１０２号公報
【特許文献３】特開２００４−８１７２１号公報  図５等
【発明の開示】
【発明が解決しようとする課題】
【０００６】
しかしながら、このような複数の部分に分割した樹脂レールでは、遊技盤の製造時において、盤面に各部を組み付ける際に、バラバラになっている各部を全て探すのに手間取ることがある。
また、各部を構成する部品の表裏を正し、盤面の適切な位置に配置し、場合によっては隣り合う樹脂レール部品と正確な位置合わせをする等、盤面上で本来の樹脂レールの形状に復元するのに余分な手間がかかる。
【０００７】
本発明は、このような現状に鑑みなされたもので、レール部材を折り畳んでコンパクトに保管・運搬することができ、かつ、遊技盤の製造時に折り畳んだレール部材を容易に元通りに復元できる遊技機を提供することを目的としている。
【課題を解決するための手段】
【０００８】
［第１発明］
本発明（第１発明）の遊技機は、
遊技盤の遊技領域を区画するレール部材を備えた遊技機において、
前記レール部材を複数の構成部材に分割して形成するとともに、これらの構成部材のうち、少なくとも２以上の構成部材同士が、前記レール部材の展開状態と折り畳み状態とを切り替えるように回動可能に軸支されることを特徴としている。
【０００９】
このような構成によれば、レール部材を運搬、保管等する際に、回動可能に軸支された構成部材同士を閉じてコンパクトな形態（折り畳み状態）に折り畳むことができる。これにより、レール部材が嵩張らず、運搬、保管等が便利になる。
【００１０】
一方、遊技盤にレール部材を組み付けるときには、折り畳んだ構成部材同士を開くように回動させれば、直ぐに元の展開状態に切り替えて遊技領域を区画する形状にすることができる。これにより、組み付けに必要な構成部材を個々に探す手間が省け、組み付けの作業効率を高めることができる。
【００１１】
本発明において、「レール部材」は、樹脂レールであることが望ましい。樹脂レールとしては、均一なレール幅で弧状に形成されるもの、樹脂レールの一部にアウト口が付いているもの、樹脂レールの外側にコーナ飾りが一体に形成されているもの、樹脂レールの中に電飾部を付加させたもの、樹脂レールの内周部に金属レールが嵌められているもの等を含む。また、「レール部材」の部位は特に限定されず、外レールであっても、内レールであっても構わない。なお、本発明は、金属レールのみからなるレール部材にも適用することも可能である。
【００１２】
［第２および第３発明］
レール部材を保管・運搬する場合、構成部材同士を折り畳んだ状態で軸支しても、振動や衝撃で構成部材が開いてしまうと、これらの取り扱いに支障を来すおそれがある。このため、構成部材同士を折り畳んだ状態で安定させるように保持することが望ましい。
【００１３】
また、レール部材を遊技盤に組み付ける場合には、遊技球の滑走、転動に支障がないよう構成部材の弧状のレール面を正確に一致させながら遊技盤（ベース板）に組み付けるのは面倒な作業である。このため、構成部材を展開しつつ、これらのレール面を展開方向で容易に元のレール軌道に戻せればなおよい。
【００１４】
そこで、本発明の遊技機の構成を、前記レール部材の構成部材のうち、少なくとも２以上の構成部材同士が、これらの展開状態と折り畳み状態とを切り替えるように回動可能に軸支される構成とした上で、各構成部材には互いにスライドしながら重なり合う重合部を形成し、これらの重合部に、前記レール部材が折り畳み状態になったときと、前記レール部材のレール面が一致する展開状態になったときとにそれぞれ嵌合し合うロック爪およびロック穴を設ける構成とするとよい。
【００１５】
すなわち、本発明（第２発明）の遊技機は、第１発明の構成を有する遊技機であって、前記レール部材の各構成部材に、互いにスライドしながら重なり合う重合部を形成し、これらの重合部に、前記レール部材が折り畳み状態になったときに嵌合し合うロック爪およびロック穴を設けたことを特徴としている。
【００１６】
また、本発明（第３発明）の遊技機は、第１発明の構成を有する遊技機であって、前記レール部材の各構成部材に、互いにスライドしながら重なり合う重合部を形成し、これらの重合部に、前記レール部材のレール面が一致する展開状態になったときに嵌合し合うロック爪およびロック穴を設けたことを特徴としている。
【００１７】
このような構成によれば、レール部材を折り畳む場合、各構成部材の重合部をスライド回動させて、折り畳み位置に設けたロック爪とロック穴とを嵌め合わせることができる。このため、構成部材同士を折り畳んだ状態でロックすることができ、その保管・運搬等の取り扱いが容易になる。
【００１８】
また、レール部材を展開する場合には、各構成部材の重合部をスライド回動させて、これらのユニットのレール面が一致する展開位置でロック爪とロック穴とを嵌め合わせることができる。これにより、隣り合うの各構成部材の弧状のレール面を簡単かつ正確に一致させることができ、遊技盤への組付け作業が行いやすくなる。
【００１９】
［第４発明］
レール部材の展開状態と折り畳み状態とをそれぞれロック爪とロック穴とでロックする場合、これらの状態が迅速に切り替えられるようになっていれば、保管・運搬・組み付けの際のレール部材の取り扱いがさらに有利になる。
【００２０】
本発明（第４発明）の遊技機は、第２発明および第３発明の構成を有する遊技機であって、
前記構成部材の回動軸を中心とする同心円の軌道上に、前記構成部材の折り畳み状態と展開状態とをそれぞれロックする一対の前記ロック穴が設けられ、かつ、前記同心円の軌道上であって前記一対のロック穴の間に、前記一対のロック穴に嵌合可能な前記ロック爪が設けられることを特徴としている。
【００２１】
このような構成によれば、構成部材の回動時、その重合部でロック爪が円軌道上を移動して、折り畳み位置と展開位置のいずれかのロック穴に嵌り合う。すなわち、構成部材の回動操作に伴って、単一のロック爪の位置を対のロック穴のいずれかに換えるだけで、レール部材の折り畳み状態と展開状態とを簡単かつ迅速に切り替えることができる。
【００２２】
なお、前記第４発明では、対（二個）のロック穴に単一のロック爪を嵌合させる構成としているが、これらのロック穴とロック爪の関係を逆にしてもよい。すなわち構成部材の回動軸を中心とする同心円の軌道上に、前記構成部材の折り畳み状態と展開状態とをそれぞれロックする一対の前記ロック爪が設けられ、かつ、前記同心円の軌道上であって前記一対のロック爪の間に、前記一対のロック爪に嵌合可能なロック穴が設けられる構成としてもよい。
【００２３】
［第５発明］
構成部材の重合部をロック穴とロック爪でロックする場合、これらの回動方向に衝撃や振動などの外力がかかると、その嵌合が簡単に外れることがある。特に、構成部材の回動中心に近い軸支部付近は、その回動力が大きく作用しやすく、ロック穴とロック爪とのロック状態を保持しにくい箇所である。
【００２４】
本発明（第５発明）の遊技機は、前記構成部材にその軸支部付近から離れるように延長される突き出し片を設け、かつ、この突き出し片の重合部に、前記構成部材の展開状態または折り畳み状態をロックするロック穴とロック爪とを設けたことを特徴としている。
【００２５】
このような構成によれば、レール部材の構成部材同士を、その軸支部から離れた位置でロック穴とロック爪とを嵌め合わせてロックすることができる。この結果、衝撃や振動などでロック穴とロック爪との嵌合が外れにくくなり、構成部材の展開状態または折り畳み状態を安定させやすくなる。
【００２６】
［第１〜５発明］
本発明（第１〜５発明）は、遊技盤の前面にレール部材を有する構成の各種遊技機に適用することができる。例えば、パチンコ機、アレンジボール機、雀球遊技機等の遊技機に適用すると効果的である。
本発明（第１〜５発明）は、必要に応じて単独で適用してもよいし、各発明を組み合わせて適用してもよい。また、本明細書に記載される他の発明を組み合わせてもよい。
【発明を実施するための最良の形態】
【００２７】
以下、本発明の実施の形態を図面に基づいて説明する。本実施形態は、パチンコ機に本発明を適用したものである。
図１に示すように、遊技機１０は、外枠１２に本体枠（基枠）１３およびガラス枠１４が取り付けられる。本体枠１３に形成された開口の前部には遊技盤装着枠部９３（図３７参照）が設けられ、この遊技盤装着枠部９３に遊技盤１５が脱着可能に取り付けられている。本体枠１３とガラス枠１４とはヒンジ１６により遊技機１０の正面側に開閉するようになっている。
【００２８】
遊技盤１５の下方には遊技球の発射用のハンドル１７が設けられる。ハンドル１７を操作すると、遊技球が発射レール１８に打ち出され、外レール１５ａと内レール１５ｂとの間の誘導通路を通って遊技盤１５の遊技領域Ｐに放出される。
【００２９】
図２に示すように、遊技領域Ｐには、遊技球の落下方向を規制する誘導釘（図示省略）が設けられ、これらの誘導釘の間に抽選図柄を表示する図柄表示装置３０、抽選図柄表示を開始させる始動口２７、一般入賞口２８、大当たり時に開閉して遊技球の入賞を促すアタッカ装置２９等が配置されている（図２参照）。
【００３０】
遊技盤１５は、ベニヤ等の板材からなるベース板２１と、プラスチック成形材からなるレールユニット２２とを備えている。遊技盤１５の盤面のうちレールユニット２２に囲まれる部分に遊技領域Ｐが仕切られる。遊技領域Ｐの盤面には、セル画シートが貼られており、そのシート面に図柄、文字、キャラクター、背景などの遊技を盛り上げる装飾印刷が施されている。遊技者は、ガラス枠１４（図１参照）を通して係る印刷面を見ることになる。
【００３１】
レールユニット２２は、外レールユニット２２Ａ、中間レールユニット２２Ｂ、および内レールユニット２２Ｃからなる。各レールユニット２２Ａ〜２２Ｃの遊技領域Ｐの外側には、ベース板１２の四隅部を覆うコーナ飾り９１ａ〜９１ｄ（図２参照）が一体形成されている。各コーナ飾り９１ａ〜９１ｄは、上下および左右で互いに連なっており、遊技領域Ｐの外側の盤面をほぼ全面覆っている。
【００３２】
外レールユニット２２Ａは、外レール始端付近から遊技盤１５の左側端部を通って遊技盤１５の上端部に達し、外レール終端付近まで延びる。中間レールユニット２２Ｂは、外レール終端付近から遊技盤１５の右側端部を通って下方に延び、遊技盤１５の下部中央付近まで延びる。そして、内レールユニット２２Ｃは、遊技盤１５の下部中央付近から外レールユニット２２Ａの内側面に沿って上方に延びる。
図３に示すように、外レールユニット２２Ａと中間レールユニット２２Ｂとは、連結ピン２５で連結されており、一方、中間レールユニット２２Ｂと内レールユニット２２Ｃとは、連結ネジ２６で連結されている。
【００３３】
図５および図６に示すように、外レールユニット２２Ａの裏面には、固定ネジを通すボス３１ａ〜３１ｆと、圧入ピン３２ａ〜３２ｄとが所定の間隔を保って形成される。
一方、図８〜図１０に示すように、中間レールユニット２２Ｂと内レールユニット２２Ｃの裏面には、固定ネジを通すボス３１ｇ〜３１ｉと、圧入ピン３２ｅ〜３２ｈとが所定の間隔を保って形成されている。
各レールユニット２２Ａ〜２２Ｃとベース板２１との取り付けは、これらのボス３１ａ〜３１ｉおよび圧入ピン３２ａ〜３２ｈを、予めベース板２１に形成された固定穴に位置合わせし、固定ネジおよび圧入ピン３２ａ〜３２ｈで止めることにより行われる。
【００３４】
図５に示すように、外レールユニット２２Ａのレール長さ方向には、その内周面に沿って金属製の案内レールＲが取り付けられる。案内レールＲのレール面に遊技球が転がり、外レールユニット２２Ａの内周面は遊技球に直接触れることがない。
なお、このような金属製の案内レールＲは、外レールユニット２２Ａのみに採用され、中間レールユニット２２Ｂおよび内レールユニット２２Ｃには採用されない。すなわち、通常の遊技状態では、中間レールユニット２２Ｂおよび内レールユニット２２Ｃのレール面には遊技球の接触する頻度が少ないため、これらのユニット２２Ｂおよび２２Ｃでは、遊技領域Ｐを仕切る樹脂成形面（内周面）がそのまま遊技球のレール面として用いられる。
【００３５】
次に、レールユニット２２の折り畳み構造について説明する。
前述したように、レールユニット２２は、外レールユニット２２Ａ、中間レールユニット２２Ｂ、および内レールユニット２２Ｃの各構成部材に分割されている。本実施形態では、中間レールユニット２２Ｂと内レールユニット２２Ｃとの間に折り畳み構造が採用される（図７，図１１参照）。図７および図１１に示す［Ｙ］部分の拡大図を図１２および図１３に示した。
【００３６】
図１２および図１３に示すように、中間レールユニット２２Ｂと内レールユニット２２Ｃは、これらのユニット端部で連結ネジ２６（回転軸）により回動可能に軸支されている。中間レールユニット２２Ｂおよび内レールユニット２２Ｃの軸支部には、連結ネジ２６のボス１１０、１１１が形成され、これらのボス１１０、１１１が中間レールユニット２２Ｂと内レールユニット２２Ｃの重合部として互いに重なり合っている。
【００３７】
中間レールユニット２２Ｂのボス１１０には、その底板１１０ａ（図１５参照）に一対のロック穴Ｍ１、Ｍ２が開口している。ロック穴Ｍ１、Ｍ２は、底板１１０ａの板面に均一な穴径で円形に貫通しており、これらのロック穴Ｍ１、Ｍ２の中心は、連結ネジ２６の中心に対して同心円Ｆ上にある（図１４参照）。
【００３８】
一方、図１５に示すように、内レールユニット２２Ｃのボス１１１には、底板１１０ａにスライド接触する底面１１１ａに、ロック爪１１２が下向きに突出している。ロック爪１１２は、半球状の突起であり、その外径はロック穴Ｍ１およびＭ２よりも若干小さく、ロック穴Ｍ１およびＭ２に嵌合可能になっている。
ロック爪１１２の中心は、ロック穴Ｍ１、Ｍ２の配置される同心円Ｆの軌道上であって、これらのロック穴Ｍ１、Ｍ２の間に配置される（図１４参照）。
【００３９】
中間レールユニット２２Ｂと内レールユニット２２Ｃとを折り畳む場合、ボス１１０とボス１１１とをスライド回動させ、図１３に示すように、ロック穴Ｍ２にロック爪１１２が嵌るようにする。すると、連結ネジ２６を中心として中間レールユニット２２Ｂと内レールユニット２２Ｃとが閉じた状態になり、これらのユニットの保管や運搬に便利な形態になる（折り畳み状態：図１１参照）。
【００４０】
一方、中間レールユニット２２Ｂと内レールユニット２２Ｃとを展開する場合は、図１１に示す状態から、連結ネジ２６の周りに内レールユニット２２Ｃを反時計回りに回動させると、ボス１１０とボス１１１とが前述と逆方向にスライド回動し、図１２に示すように、ロック穴Ｍ１にロック爪１１２が嵌まり、同時に、中間レールユニット２２Ｂと内レールユニット２２Ｃのレール面Ｒ１とＲ２が一致することになる（展開状態：図７参照）。
【００４１】
このように本実施形態によれば、中間レールユニット２２Ｂと内レールユニット２２Ｃとを連結ネジ２６で回動可能に軸支することで、ユニット同士をコンパクトな形態に折り畳んだり、レール面Ｒ１，Ｒ２が一致した形態に直ぐに展開することができる。この結果、各ユニット２２Ｂ，２２Ｃが嵩張りにくくなって保管・運搬等が行いやすくなる。また、各ユニット２２Ｂ，２２Ｃを折り畳み状態から元の展開状態に簡単に復元することができ、ベース板２１への組み付け作業が行いやすくなる。
【００４２】
さらに、本実施形態では、前述したように、連結ネジ２６（回転軸）を中心とする同心円Ｆの軌道上にロック穴Ｍ１，Ｍ２とロック爪１１２を設けていることから、ロック爪１１２を僅かな距離だけ動かしてロック穴Ｍ１，Ｍ２のいずれかに嵌め合わせるだけで、展開状態と折り畳み状態の切り替え操作を簡単かつ迅速に行うことができる。
【００４３】
次に、中間レールユニット２２Ｂと内レールユニット２２Ｃの突き出し片のロック穴およびロック爪の構成を図１６および図１７に示した。
本実施形態では、中間レールユニット２２Ｂと内レールユニット２２Ｃの連結ネジ２６から離れた位置に突き出し片１１４，１１５を設け、これらの重合部分にロック穴Ｍ３とロック爪１１６とをそれぞれ形成している。
【００４４】
図１７に示すように、ロック穴Ｍ３は、突き出し片１１４の重合板１１４ａに形成される矩形の貫通孔である。内レールユニット２２Ｃの回動操作に伴い、連結ネジ２６とロック穴Ｍ３との距離を半径とする円軌道を移動するようになっている。
一方、ロック爪１１６は、突き出し片１１５の下面（図１８参照）であって重合板１１４ａにスライド接触する重合面１１５ａに突き出る矩形の突起である。連結ネジ２６とロック爪１１６までの距離は、連結ネジ２６とロック穴Ｍ３との距離と等しい。
【００４５】
図１７の状態から、連結ネジ２６の周りに内レールユニット２２Ｃを反時計回りに回動させると、突き出し片１１５の重合面１１５ａに、突き出し１１４の重合板１１４ａがスライドし、ロック爪１１６にロック穴Ｍ３が嵌まる。同時に、図１６に示すように、中間レールユニット２２Ｂと内レールユニット２２Ｃのレール面Ｒ１，Ｒ２が一致する状態となる。
【００４６】
このように本実施形態によれば、連結ネジ２６から離れた位置でロック穴Ｍ３とロック爪１１６とを嵌合させるため、レールユニット２２Ｂと内レールユニット２２Ｃの展開状態を安定させることができる。すなわち、各ユニットに衝撃や振動などの外力が加わってもロック穴Ｍ３とロック爪１１６との嵌合が外れにくくなる。この結果、ベース板２１へのレールユニット２２Ｂと内レールユニット２２Ｃの組み付け作業をさらに簡単かつ確実に行うことが可能になる。
【００４７】
以上、遊技機１０によるレールユニット２０の折り畳み構造を説明したが、本発明の実施形態はこれに限定されることなく、必要に応じて、その構成の変更を伴ってもよい。
例えば前記実施形態では、中間レールユニット２２Ｂと内レールユニット２２Ｃとを折り畳み可能に軸支したが、このような折り畳み構造を他のユニットに採用してもよい。
【００４８】
また、前記実施形態では、ロック穴Ｍ１，Ｍ２にロック爪１１２を嵌合させるようにしているが、これらを逆の位置関係にしてもよい。すなわち、ロック穴Ｍ１，Ｍ２と同じ位置に一対のロック爪を配置し、これらのロック爪に単一のロック穴が展開時と折り畳み時にそれぞれ嵌合するようにしてもよい。
また、ロック穴Ｍ１，Ｍ２，Ｍ３とロック爪１１２，１１６の形状は、これらに限定されることなく、多角形や楕円形等の他の形状にしてもよい。
さらに、突き出し片１１４，１１５は、中間レールユニット２２Ｂと内レールユニット２２の展開状態を安定させるものであるが、折り畳み状態を安定させるための突き出し片を別個に設けることも可能である。
【００４９】
［その他の発明］
次に、遊技機１０に採用されている他の発明について説明する。遊技機１０には、前述した取手構造に関する発明の他、各所に複数の発明が適用されている。
【００５０】
［他の発明１：セル画シートの除電構造］
一般に、パチンコ機等の遊技盤は、ベニア板等からなる盤面にセル画シートが貼られている。セル画シートは、透明フィルムに印刷された画により遊技盤面を装飾するもので、その中には金属光沢を有するセル画シートがある。そのようなセル画シートは、例えば、ＰＥＴ（ポリエチレンテレフタレート）、キャブロイドなどの透明フィルムに装飾用の図柄を印刷し、これにアルミ箔（金属層）を貼り付け、さらに、この金属層に接着剤で裏打ち紙を貼り付けて形成されている。そして、このような金属層による光の反射によって、印刷された図柄や背景にメタリックな風合いが加味され、遊技領域に独特の趣を醸し出す。
【００５１】
ところが、このようなセル画シートは、遊技時にその金属層に静電気を帯びやすく、これが原因で遊技球が役物や釘等に接触した際にスパークし、各種制御装置の誤動作を招く電磁波ノイズを引き起こしやすい。
【００５２】
そこで、本発明の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、
前記セル画シートに打ち込まれてその金属層に接触する貫入部と、
前記貫入部に連なって前記遊技盤表面に露出し、前記遊技盤周囲の所定のアース端子に接触する中継部とを備える構成とした。
【００５３】
本発明の遊技機によれば、遊技盤の表面に除電金具を打ち込むと、その貫入部がセル画シートを貫いてシート内部の金属層に接触する。一方、除電金具の中継部は、遊技機に設置される既存のアース端子（例えばガラス枠の骨格鉄板）に接触する。これにより、セル画シートの金属層が除電金具を介してアースされることになり、金属層に静電気が発生しても、直ちにその電荷を外部へ逃がすことが可能になる。
【００５４】
また、本発明の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、前記セル画シートに打ち込まれてその金属層に接触する貫入部を有しており、かつ、この前記貫入部が板刃であるとよい。
【００５５】
このような構成によれば、セル画シートに板刃状の除電金具を打ち込むため、セル画シートがその刃先で分断され、下方に押し込まれた透明フィルム層が周面を覆ったり、削り屑が生じることがなく、板刃側面が金属層に接触しやすくなる。また、板刃と金属層との接触面積が大きくなるため、広い導電通路を確保することができる。なお、前記板刃には、鋸切り刃、ナイフ刃の他、弧状または筒状の刃も含む。
【００５６】
以下、本発明の具体例を遊技機１０の構成に基づいて説明する。
外レールユニット２２Ａの裏面側であって、図５および図６［Ｚ］部分に示す外レール終端部の拡大図を図１９（Ａ）および（Ｂ）に示した。
図１９（Ａ）に示すように、外レール終端付近の裏面は、除電金具５０を取り付けるための台座４０になっており、この台座４０に除電金具５０が所定の向きにセットされる。台座４０とベース板２１との間に除電金具５０がセル画シートと接触した状態で挟まれることになる。
【００５７】
図２０に示すように、台座４０は、ユニット前面パネル４１に立ち上げられたボス３１ａ、仕切壁４４、４５、４６等から構成される。ボス３１ａは、外レール始端付近でベース板２１に外レールユニット２１Ａをネジ固定するためのボスである。
ボス３１ａおよび仕切壁４４、４５、４６は、図２０で上端面が均一の高さに統一されており、これらの端面で除電金具５０を支持するようになっている。
【００５８】
台座４０のボス３１ａの両側には一対の支持ピン４８が形成される（図１９参照）。これらの支持ピン４８の先端は、ボス３１ａの上端面（除電金具５０の支持面）よりの高い位置まで突出し、支持ピン４８間で除電金具５０を挟めるようになっている。
【００５９】
ユニット側面パネル４２と仕切壁４４との間には、後述する除電金具５０の凸折り部（屈曲面）の収納スペースが設けられる。この収納スペースは、ユニット前面パネル４１に開口する小窓Ｗ（図２０参照）により遊技盤１５の前面側に開放されている。
【００６０】
図２１および図２２に示すように、除電金具５０は、金属製の帯板を折り曲げて形成されるもので、その平板部５１の一端に斜め折り部５２を有し、他端に縦折り部５３および横折り部５４が連なっている。横折り部５４のほぼ中間位置には断面Ｕ字形の凸折り部５５が設けられる。
【００６１】
平板部５１にはネジ穴Ｈ１が形成される。ネジ穴Ｈ１は、台座４０に除電金具５０をセットしたときにボス３１ａのネジ穴Ｈ２と重なる位置にある（図２０参照）。すなわち、これらのネジ穴Ｈ１およびＨ２に同時に固定ネジを通せるようになっている。
【００６２】
ネジ穴Ｈ１の周方向にはその穴面に沿って鋸歯状の板刃５８が連なっている。図２３に示すように、板刃５８の板面は、ささくれ状になってネジ穴Ｈ１の外側（ネジ穴軸方向）に向いており、その先端は鋸歯状に分断され、鋭角の刃先が環状に並ぶ。なお、このようなささくれ状の板刃３１ａは、例えば平板部５１の板面に先端十字形の穴あけ工具等を突き刺すことで形成することができる。
【００６３】
平板部５１のネジ穴Ｈ１を挟んだ両側端には円弧溝Ｋ１およびＫ２が形成される。図２４に示すように、これらの円弧溝Ｋ１とＫ２との距離は、前述の支持ピン４８，４８の間の距離にほぼ等しい。この結果、支持ピン４８，４８の間に円弧溝Ｋ１とＫ２を合わせることで、台座４０に除電金具５０を仮止めすることができる。また、仮止めによってボス３１ａのネジ穴Ｈ２と、平板部５１のネジ穴Ｈ１とを簡単に位置合わせすることができる。
【００６４】
図２５に示すように、斜め折り部５２は、除電金具５０の長さ方向に対しほぼ４５゜の角度で折り曲げられる。斜め折り部５２の外側面には、ドーム形の凸部５２ａが形成されている。台座４０に除電金具５０をセットすると、仕切壁４６と案内レールＲとの間の隙間に斜め折り部５２が収まり、凸部５２ａが案内レールＲに接触する。すなわち、この凸部５２ａと案内レールＲとの接触により、案内レールＲと除電金具５０との導電通路が確保されることになる。
【００６５】
縦折り部５３および横折り部５４は、平板部５１に対してそれぞれほぼ垂直および平行な折り曲げ角をなしている。縦折り部５３の長さは、ユニット側面パネル４２と仕切壁４４との間の収納スペースの深さにほぼ一致する。この結果、図２０に示すように、収納スペースの底位置まで縦折り部５３を挿入することができ、このとき、横折り部５４の板面が収納スペースの底面（ユニット前面パネル４１の裏面）に重なる。
【００６６】
縦折り部５３および横折り部５４のそれぞれの折曲線付近には、矩形の貫通穴Ｓ１、Ｓ２が形成される（図２１参照）。これらの貫通孔Ｓ１、Ｓ２は、除電金具５０の板面の歪みを吸収する役割を果たす。
また、貫通孔Ｓ１は、図２０に示すように、仕切壁４４の突起４４ａに嵌まり、台座４０への除電金具５０の取付状態を安定させる。
【００６７】
凸折り部５５は、横折り部５４の板面にほぼ垂直に立ち上げられており、台座４０に除電金具５０をセットしたとき、その凸折り部５５がユニット前面パネル４１の小窓Ｗに嵌る（図２０参照）。遊技盤１５の正面からレールユニット２２のレール終端付近を見ると、ユニット前面に凸折り部５５が突出した状態となる（図１および図２参照）。
【００６８】
図１に示すように、ガラス枠１４の背面側には、フレーム骨格となる鉄板が露出しており、この鉄板の一部を折り曲げて舌片状のアース端子５９が形成される。アース端子５９は、ガラス枠１４のフレーム骨格（金属部）を含む遊技機１０の既存のアース配線によって接地される。図１に示す遊技機１０の開放状態から、ガラス枠１４を本体枠１３側に閉じると、アース端子５９が除電金具５０の凸折り部５５に接触し、除電金具５０がアース配線に接続される。
【００６９】
除電金具５０とアース端子５９との接触は、ガラス枠の閉鎖時にアース端子５９に凸折り部５５が押されて撓むことによって行われる。このため、アース端子５９の金属面に凸折り部５５の屈曲面が弾性変形して密着する格好となり、その接触状態が良好に保たれる。
【００７０】
次に、遊技機１０による静電気の除電作用について説明する。
ベース板２１にレールユニット２２を固定する場合、台座部４０に除電金具５０をセットし、ボス３１ａにネジを通してベース板２１に締め込むと、図２６に示すように、ネジＮによってレールユニット２２全体がベース板２１に向かって押し付けられ、同時にボス３１ａとベース板２１との間に挟まれた除電金具５０の板刃５８がセル画シートＬを突き破ってベース板２１に刺さる。そして、板刃５８の側面がセル画シートＬの金属層Ｌ３に接触し、金属層Ｌ３をアースすることになる。なお、図２６に示すセル画シートＬにおいて、最下層Ｌ１は裏打ち紙層、第２層Ｌ２は接着材層、第３層Ｌ３はアルミ箔等の金属層、第４層Ｌ４はインク層、最上層Ｌ５（表面層）は透明フィルム層を示している。
【００７１】
このように遊技機１０によれば、セル画シートＬの金属層Ｌ３が板刃５８を介して除電金具５０に接触し、アースされるまでの経路を形成するため、金属層Ｌ３に静電気が帯電しても、除電金具５０から前述のアース端子を通して静電気が直ちに外部に放出される。この結果、遊技機１０に静電気による電磁波ノイズが発生しにくく、制御装置等の誤動作を未然に防止することができる。
【００７２】
また、遊技機１０は、板刃５８の刃先をセル画シートＬに差し込んで金属層Ｌ３と接触する構成であるため、セル画シートＬの各層が板刃５８と一緒にベース板２１の下方に押し込まれにくい。これにより、除電金具５０と金属層Ｌ３とが他の層に邪魔されることなく確実に接触し、導電通路の信頼性が高まる。
【００７３】
また、除電金具５０のネジ穴Ｈの穴面に沿って板刃５８を立ち上げているので、除電金具５０をネジＮで固定する際に同時に板刃５８をセル画シートＬに差し込むことができ、除電金具５０の取り付けの手間も少ない。
【００７４】
また、前述したように、除電金具５０はその斜め折り部５２で金属製の案内レールＲとも接触しているので、例えば発射球が帯電しているような場合に案内レールＲが静電気を帯びても、このような静電気を同時に除去することができる。
さらに、除電金具５０は、帯板材を折り曲げて形成する簡単な構成であるため、製造コストも比較的少なくて済む。
【００７５】
なお、本実施形態は、必要に応じて、その構成部分の変更を伴ってもよい。例えば前記実施形態では除電金具５０を外レールユニット２２Ａに取り付けているが、これに代えて、中間レールユニット２２Ｂや内レールユニット２２Ｃに取り付けるようにしてもよい。また、除電金具５０の板刃５８は、ネジ穴Ｈ１の穴面に沿って環状に複数並んでいるが、これらは必ずしも全て設ける必要はなく、歯抜け状の板刃にしたり、歯無しの筒状板刃の構成にしてもよい。また、除電金具５０の板刃は、筒状に限定されるものではなく、平板状であってもよい。
【００７６】
［他の発明２：遊技盤の共締め構造］
前記実施形態のように遊技盤１５にレールユニット２２を有するタイプの遊技機では、ベース板２１にレールユニット２２を固定するための圧入ピンの数が多くなりやすい。このため、ベース板２１にレールユニット２２を固定する際の作業工程が煩雑だったり、固定装置の大型・複雑化を招くといった問題が生じることがある。
【００７７】
一方、遊技盤の背面には、通常、遊技球を回収するための集合樋が取り付けられる。集合樋は、ベース板の背面にネジ等で固定されるのが一般的である。
【００７８】
前述したような問題点を解決するため、本発明は、レールユニットの固定手段と、集合樋の固定手段を兼用する点に着目した。
すなわち、本発明の遊技機は、ベース板の前面にレールユニット、背面に集合樋を固定する遊技盤を備えた遊技機において、  
前記ベース板の所定位置に貫通孔を形成し、前記レールユニットおよび前記集合樋をそれぞれ前記貫通孔に位置合わせしてネジで共締めする構成とした。
【００７９】
このような構成によれば、レールユニットの固定ネジと、集合樋の固定ネジとが共通化されるため、両者の固定作業を同時に行うことができ、作業工程が大幅に簡略化される。また、レールユニットを固定するための専用の圧入ピンやネジの本数を減らすことができるため、固定装置の大型・複雑化を招きにくくなる。
【００８０】
具体例を実施形態で示すと、レールユニット２２は、外レールユニット２２Ａの下部であって、その側端付近に上下に２箇所のボスＢ１（図６参照）、また、中間レールユニット２２Ｂの下部であって、その側端付近に上下に２箇所のボスＢ１が形成されている（図９および図１０参照）。
【００８１】
図２７および図２８に示すように、ベース板２１の背面下部には集合樋６１および基板ボックス６２が固定されており、このうち、集合樋６１の四隅部にボスＢ１と等しい間隔を保って４つのボスＢ２が形成されている。
【００８２】
図２９に示すように、ベース板２１の下部には、前述のボスＢおよびＢ２に一致する位置に貫通孔Ｔが形成される。
ベース板２１にレールユニット２２と集合樋６１とを固定する場合、ベース板２１を挟んで貫通孔Ｔに両者のボスＢおよびＢ２を位置合わせし、ネジ６３によって共締めする。
【００８３】
このようにベース板２１にレールユニット２２と集合樋６１とを共締めすることにより、これらの固定作業が簡略化される。また、レールユニット２２の圧入ピン３２ａ〜３２ｈ（図６、図１０参照）が比較的少ない本数で済み、ベース板２１にレールユニット２２を圧入するための固定装置の小型化が行いやすく、固定装置への位置合わせ等の作業が簡単になる。
【００８４】
［他の発明３：保護カバーの開閉機構］
遊技盤の外レール始端付近には、ファール球（落下球）と発射球とが衝突した弾みで正面ガラスに当たるのを防止するために保護カバーが設けられることがある。通常は、レール面に対し保護カバーをほぼ垂直に立てて保持し、一方、レール面を掃除するときには、保護カバーを取り外すか、または、可撓性材料からなる保護カバーを折り曲げてレール面を覗けるようにしている。
しかしながら、このような従来の保護カバーは、一旦保護カバーを取り外すと、その取り付けが面倒である。また、保護カバーを折り曲げた状態では、掃除の際に保護カバーが邪魔になりやすい。
【００８５】
前記問題点を解決するため、本発明の遊技機は、遊技盤の外レール始端付近に、レール面を覆う保護カバーを有する遊技機において、
前記保護カバーは、前記遊技盤の正面側に支軸により開閉可能に支持されており、かつ、前記保護カバーの開閉軸付近に、前記保護カバーの開閉角度を規制する係止爪を備える構成とした。
【００８６】
このような構成によれば、保護カバーが前記遊技盤の正面側に支軸によって開閉可能に支持されるため、その開閉操作を簡単に行える。また、係止爪で保護カバーの開放角度を一定に保っておくことができるため、レール面を掃除する際に、保護カバーが邪魔になりにくい。
【００８７】
具体例を本実施形態で示すと、図３０に示すように、外レールユニット２２Ａのレール始端付近に保護カバー７０が取り付けられる。保護カバー７０は、ガラス枠１４の内側であって、案内レールＲを覆う位置に取り付けられている。
【００８８】
図３１および図３２に示すように、保護カバー７０は、透明なプラスチック材料からなり、案内レールＲの弧状のレール面に沿って帯状に延びている。保護カバー７０の下端には支軸７１，７１が一体形成される。支軸７１，７１が外レールユニット２２Ａの軸受７４（図３０参照）に嵌って回動することで、保護カバー７０が遊技盤１５の正面側に開閉する。
【００８９】
保護カバー７０の下端には、２個の平行な開放スリットの間にバネ板７２が形成される。このバネ板７２の先端であって、保護カバー７０の開閉軸付近に係止爪７３が形成されている。
【００９０】
図３３は、外レールユニット２２Ａから保護カバー７０を取り外した状態を示している。外レールユニット２２Ａの保護カバー取り付け部には、保護カバー７０の支軸７１，７１と等間隔に軸受７４，７４が配置される。軸受７４，７４は、有底筒状になっており、これらの開放筒端から軸方向に支軸７１，７１をズラして挿入する。
【００９１】
軸受７４，７４の間には突起７５が形成される。外レールユニット２２Ａに保護カバー７０を取り付けると、突起７５の傾斜面が保護カバー７０の係止爪７３に当たる。
【００９２】
通常時、図３４に示すように、係止爪７３は、その膨出部７３ａのレール面に近い端面（図３４（Ａ）で右下端面）が突起７５の傾斜面に当たって保護カバー７０をレール面に対しほぼ垂直な状態に保つ。
保護カバー７０の上端部を手で持って外側に開くと、図３４（Ｂ）に示すように、膨出部７３ａが突起７５の傾斜面を上るようにズレながら回動し、バネ板７２を撓ませる。そして、保護カバー７０が一定角度まで開くと、膨出部７３ａと突起７５との接触面が切り替わってバネ板７２の撓みが開放され、膨出部７３ａの反対側の端面（図３４（Ａ）で左下端面）が突起部７５の傾斜面に当たって、保護カバー７０の開放角度を保持する（図３４（Ｃ）参照）。
【００９３】
このように本実施形態によれば、保護カバー７０が支軸７１により開閉自在に支持されるため、その開閉操作が簡単になる。また、保護カバー７０の開閉角度が係止爪７３で規制されるため、保護カバー７０を開けたまま片手でも容易にレール面の掃除を行うことができる。
さらに、保護カバー７０の開放角度を起立状態から９０゜未満の範囲に制限することで、保護カバー７０の閉め忘れにも対応することができる。すなわち、上記範囲では、保護カバー７０を開けたままガラス枠１４を締めても、そのガラス板で保護カバー７０が押され、バネ板７２のバネ効果により起立状態（図３４（Ａ））に戻る。この結果、遊技機のメンテナンスも安心して行える。
【００９４】
［他の発明４：遊技盤の脱着用把手］
前記実施形態では、前述したように、遊技盤１５を本体枠１３の前方からその遊技盤装着枠部９３に装着する。このような遊技機においては、その装着操作に伴って遊技盤１５と遊技盤装着枠部９３とを互いに係合しながら、遊技盤１５側の電気接点と本体枠１３側の電気接点とを一対のコネクタで接続している。
本発明では、このような構成を備えた遊技機において、遊技盤側のコネクタの抜き差しを容易にするため、前記遊技盤の背面にコネクタを設けるとともに、この遊技盤の正面側であって前記コネクタの概ね前方位置に取っ手を設ける構成とした。
【００９５】
このような構成によれば、遊技盤の脱着時に、取っ手を持って遊技盤を前後に動かすと、取っ手部分からコネクタに力がかかりやすい。このため、遊技機本体枠から遊技盤を脱着する際に遊技盤を安定して支持できるとともに、コネクタの抜き差しも容易に行える。
【００９６】
具体例を実施形態で示すと、図２に示すように、遊技機１０は、遊技盤１５の下端部に取っ手８０が設けられている。レールユニット２２の下端に凹み付け、この凹みを取っ手８０としている。
図３５に示すように、取っ手８０は、横板８１と縦板８２とを備えており、横板８１の正面下方に取っ手８０の凹みの一部を覆い隠す縦板８２が延びている。縦板８２の裏側には指を掛けるための空間が形成される。
【００９７】
図２７に示すように、遊技盤１５の背面には、集合樋６１上にコネクタ８４が設けられる。コネクタ８４には、例えば遊技盤前面の図柄表示装置３０等を制御する副制御装置のコネクタ接続配線の他端側コネクタ８５が接続される（図３５参照）。
取っ手８０とコネクタ８４との位置関係は、コネクタ８４のベース板２１を挟んで概ね前方位置に取っ手部８０が設けられている。すなわち、取っ手８０を前後に動かしたときに、その力がコネクタ８４に作用しやすい位置関係にある。
【００９８】
本体枠１３から遊技盤１５を取り外す場合、取っ手８０に指を掛けて遊技盤１５を支えるとともに、取っ手８０を前方に引っ張ると、その力でコネクタ８４も前方に引っ張られる。これにより、図３６に示すように、コネクタ８５から遊技盤１５のコネクタ８４が簡単に外れる。また、本体枠１３に遊技盤１５を取り付ける場合には、取っ手８０に指を掛けて遊技盤１５を支えるとともに、取っ手８０を後方に押し込むと、コネクタ８４も後方に押されて副制御装置のコネクタ８５に容易に差し込むことができる。
【００９９】
［他の発明５：レールユニットの角取り］
前記実施形態の遊技機１０は、本体枠１３の開口部（遊技盤装着枠部９３）に、本体枠１３の前方から遊技盤１５を差し入れて遊技盤１５を装着する構成になっている。一方、前記実施形態の遊技機は、遊技盤１５のベース板２１にレールユニット２２の前面部を構成するコーナ飾りが一体的に設けられている。
このようにベース板にコーナ飾りが一体的に固定されると、コーナ飾りの厚みが邪魔になって本体枠の前方から遊技盤を差し入れて取り付ける作業が行いにくくなることがある。特に、遊技機のヒンジ側のコーナ飾りは、本体枠の枠面にぶつかりやすく、取り付け作業の障害となりやすい。
【０１００】
本発明の遊技機は、本体枠の開口部に、本体枠の前方から遊技盤を差し入れて遊技盤を装着する構成を備えた遊技機において、
前記遊技盤のベース板の前面部に取り付けられるコーナ飾りを有し、
前記コーナ飾りの側端部のうち、少なくとも前記遊技機のヒンジ側に向いた側端部に、後部から前部に向けて前記ベース板の側端から逃げるように内側に傾斜する角取り面を設ける構成とした。
【０１０１】
このような構成によれば、コーナ飾りの側端部に角取り面が設けられるため、本体枠の開口部に遊技盤の側端を近づけても、コーナ飾りが本体枠の枠面にぶつかりにくくなる。これにより、コーナ飾りが邪魔になることなく、本体枠にスムーズに遊技盤を取り付けることができる。
【０１０２】
具体例を実施形態で示すと、図２に示すように、遊技盤１５には、ベース板２１上にレールユニット２２が固定されており、その四隅部にコーナ飾り９１ａ〜９１ｄが一体的に形成されている。各コーナ飾り９１ａ〜９１ｄは、上下および左右で互いに連なっており、遊技領域Ｐの外側の盤面をほぼ全面覆っている。
遊技盤１５のヒンジ側のコーナ飾り９１，９１には、係止溝９２，９２が形成される。
【０１０３】
図３７に示すように、遊技盤１５を装着するための本体枠１３には、遊技盤装着枠部９３が設けられており、この遊技盤装着枠部９３は、そのヒンジ側に係止片９４，９４を有している。係止片９４，９４は、遊技盤１５の係止溝９２，９２に嵌って装着後の遊技盤１５を固定する。
【０１０４】
図２および図３に示すように、ヒンジ側のコーナ飾り９１ａおよび９１ｂの側端部には角取り面９５が形成される。角取り面９５は、後部から前部に向けてベース板２１の側端から逃げるように遊技盤１５の前方（正面側）に向けて内側に傾斜している（図３８および図３９参照）。
【０１０５】
遊技盤装着枠部９３への遊技盤１５の挿入時には、図４０に示すように、遊技盤装着枠部９３の枠面に対して遊技盤１５が斜めに傾きやすいが、コーナ飾り９１は、角取り面９５によって遊技盤装着枠部９３から離れた位置に保たれる。このため、コーナ飾り９１に邪魔されることなく、本体枠１３に遊技盤１５を取り付けることができる。
【０１０６】
なお、本実施形態のように、遊技盤装着枠部９３の係止片９４にコーナ飾り９１の係止溝９２を嵌め合わせる場合には、係止片９４に向き合う係止溝９２の溝側面にも角取り面９７（図３９参照）を形成することが望ましい。
このように係止溝９２に溝内に角取り面９７を形成することで、遊技盤装着枠部９３への遊技盤１５の挿入時に、係止片９４と角取り面９７との間にも十分な距離が保たれ（図４０参照）、係止片９４に係止溝９２を嵌め合わせやすくなる。
【０１０７】
［他の発明６：レールユニットの圧入ピン収納構造］
前記実施形態のように複数の圧入ピンを有するレールユニットは、レールユニットを積み重ねると、圧入ピンが隣り合うレールユニットに当たり、ユニット間に隙間を形成するため、嵩張りやすく、運搬や保管等の取り扱いが不便である。
【０１０８】
本発明の遊技機は、複数の圧入ピンを有するレールユニットを備えた遊技機において、このレールユニットの圧入ピンと反対側のユニット面に、隣り合う他のレールユニットの圧入ピンを収納可能な収納穴を設ける構成とした。
【０１０９】
このような構成によれば、レールユニットを積み重ねる際に、重なり合ったレールユニットの収納穴に圧入ピンを収納することで、ユニット間に隙間が少なくなる。この結果、レールユニットをコンパクトに積み重ねることができ、運搬・保管等の取り扱いが便利になる。
なお、本発明は、圧入ピンだけでなく、レールユニット背面に突出するボスなどの他の突出部に適用してもよい。
【０１１０】
本実施形態では、外レールユニット２２Ａに本発明を適用している。図６に示すように、外レールユニット２２Ａの背面には、レール面に沿って４つの圧入ピン３２ａ〜３２ｄが設けられる。また、ユニット下部にはボスＢ１が突出している。
これらの４つの圧入ピン３２ａ〜３２ｄの反対側すなわちレールユニット２２Ａの前面側には、収納穴１００ａ〜１００ｄ（図４参照）が設けられる。また、ボスＢ１の反対側の位置には収納穴１０１が設けられている。収納穴１００ａ〜１００ｄおよび１０１は、圧入ピン３２ａ〜３２ｄおよびボスＢ１とほぼ同軸線上にある。
【０１１１】
外レールユニット２２Ａを複数重ねると、図４１に示すように、これらの圧入ピン３２ａ〜３２ｄとボスＢ１が隣り合う外レールユニット２２Ａの収納穴１００ａ〜１００ｄおよび１０１に嵌まる。この結果、外レールユニット２２Ａの間の隙間がなくなり、コンパクトな形態で外レールユニット２２Ａの運搬や保管等を行うことができる。
【図面の簡単な説明】
【０１１２】
【図１】本発明の実施形態による遊技機を示す斜視図である。
【図２】同遊技機の遊技盤を示す斜視図である。
【図３】同遊技機のレールユニットを示す正面図である。
【図４】同レールユニットの外レールユニットを示す正面図である。
【図５】同レールユニットの外レールユニットを示す背面図である。
【図６】同レールユニットの外レールユニットを示す背面斜視図である。
【図７】同レールユニットの中間レールユニットおよび内レールユニットを示す正面図である。
【図８】同レールユニットの中間レールユニットおよび内レールユニットを示す背面図である。
【図９】同レールユニットの中間レールユニットおよび内レールユニットを示す斜視図である。
【図１０】同レールユニットの中間レールユニットおよび内レールユニットを示す側面図である。
【図１１】同レールユニットの中間レールユニットと内レールユニットとを折り畳んだ状態を示す正面図である。
【図１２】図７に示す［Ｙ］部分の拡大平面図である。
【図１３】図１１に示す［Ｙ］部分の拡大平面図である。
【図１４】同レールユニットの中間レールユニットおよび内レールユニットの連結部分を示すもので、ロック爪とロック穴の位置関係を説明するための拡大平面図である。
【図１５】図１３の［１５］−［１５］線模式断面図である。
【図１６】同レールユニットの中間レールユニットおよび内レールユニットの連結部分を示すもので、補助ロック爪と補助ロック穴とが嵌り合った状態を示す拡大平面図である。
【図１７】同レールユニットの中間レールユニットおよび内レールユニットの連結部分を示すもので、補助ロック爪と補助ロック穴とが外れた状態を示す拡大平面図である。
【図１８】図１６の［１８］−［１８］線模式断面図である。
【図１９】同レールユニットの図５および図６に示す［Ｚ］部分の拡大図である。
【図２０】図１９に示す［２０］−［２０］線断面図である。
【図２１】本発明の実施形態による除電金具を示す斜視図である。
【図２２】同除電金具の側面図である。
【図２３】同除電金具の板刃を示す部分拡大断面図である。
【図２４】同除電金具の取付状態を示すもので、（Ａ）は部分拡大平面図、（Ｂ）は部分拡大断面図である。
【図２５】同除電金具と案内レールとの接触状態を示す部分拡大平面図である。
【図２６】同除電金具の板刃の使用状態を示す拡大断面図である。
【図２７】本発明の実施形態による遊技盤を示す背面図である。
【図２８】同遊技盤の背面斜視図である。
【図２９】同遊技盤のレールユニットと集合樋との共締め構造を示す部分拡大断面図である。
【図３０】本発明の実施形態による遊技盤の外レール始端付近を示す部分拡大正面図である。
【図３１】同遊技盤の外レールの保護カバーを示す正面図である。
【図３２】同保護カバーの斜視図である。
【図３３】同保護カバーの取付部分の構成を示す斜視図である。
【図３４】同保護カバーの作用説明図である。
【図３５】本発明の実施形態による遊技盤側のコネクタを示す断面図である。
【図３６】同遊技盤側のコネクタを取り外した状態を示す断面図である。
【図３７】本発明の実施形態による遊技機の遊技盤を取り外した状態を示す斜視図である。
【図３８】同遊技盤の平面図である。
【図３９】同遊技盤のコーナ飾りを示す部分拡大斜視図である。
【図４０】同コーナ飾りの作用を説明するための模式断面図である。
【図４１】本発明の実施形態によるレールユニットを重ね合わせた状態を示す模式断面図である。
【符号の説明】
【０１１３】
１０    遊技機
１２    外枠
１３    本体枠
１４    ガラス枠
１５    遊技盤
１６    ヒンジ
２１    ベース板
２２    レールユニット（レール部材）
２２Ａ  外レールユニット
２２Ｂ  中間レールユニット（構成部材）
２２Ｃ  内レールユニット（構成部材）
２５    連結ピン
２６    連結ネジ
３１ａ〜３１ｉ  ボス
３２ａ〜３２ｈ  圧入ピン
４０    台座
５０    除電金具
５１    平板部
５８    板刃
６１    集合樋
７０    保護カバー
７１    支軸
７２    バネ板
７３    係止爪
７４    軸受
８０    取手
８４、８５    コネクタ
９１ａ〜９１ｄ  コーナ飾り
９２    係止溝
９３    遊技盤装着枠部
９４    係止片
９５，９７  角取り面
１００ａ〜１００ｄ  収納穴
１１０，１１１    ボス（重合部）
１１０ａ  底板（重合部）
１１１ａ  底面（重合部）
１１２    ロック爪
１１４，１１５    突き出し片
１１４ａ  重合板（重合部）
１１５ａ  重合面（重合部）
Ｂ１，Ｂ２  ボス
Ｈ１，Ｈ２  ネジ穴
Ｌ    セル画シート
Ｍ１，Ｍ２，Ｍ３  ロック穴
Ｒ    案内レール
Ｒ１，Ｒ２  レール面
Ｗ    小窓
【図１】
2005305143.tif 000003
【図２】
2005305143.tif 000004
【図３】
2005305143.tif 000005
【図４】
2005305143.tif 000006
【図５】
2005305143.tif 000007
【図６】
2005305143.tif 000008
【図７】
2005305143.tif 000009
【図８】
2005305143.tif 000010
【図９】
2005305143.tif 000011
【図１０】
2005305143.tif 000012
【図１１】
2005305143.tif 000013
【図１２】
2005305143.tif 000014
【図１３】
2005305143.tif 000015
【図１４】
2005305143.tif 000016
【図１５】
2005305143.tif 000017
【図１６】
2005305143.tif 000018
【図１７】
2005305143.tif 000019
【図１８】
2005305143.tif 000020
【図１９】
2005305143.tif 000021
【図２０】
2005305143.tif 000022
【図２１】
2005305143.tif 000023
【図２２】
2005305143.tif 000024
【図２３】
2005305143.tif 000025
【図２４】
2005305143.tif 000026
【図２５】
2005305143.tif 000027
【図２６】
2005305143.tif 000028
【図２７】
2005305143.tif 000029
【図２８】
2005305143.tif 000030
【図２９】
2005305143.tif 000031
【図３０】
2005305143.tif 000032
【図３１】
2005305143.tif 000033
【図３２】
2005305143.tif 000034
【図３３】
2005305143.tif 000035
【図３４】
2005305143.tif 000036
【図３５】
2005305143.tif 000037
【図３６】
2005305143.tif 000038
【図３７】
2005305143.tif 000039
【図３８】
2005305143.tif 000040
【図３９】
2005305143.tif 000041
【図４０】
2005305143.tif 000042
【図４１】
2005305143.tif 000043